(57)【特許請求の範囲】
【請求項１】
側面視して直線状の基面を有する塗布部と、該塗布部を先端に保持する軸部とから構成し、
該塗布部を、該直線状の基面上に櫛歯を複数並設して形成する櫛状とした上で、
該櫛状の塗布部を形成する複数並設される櫛歯のうち、該直線状の基面上に位置する複数の櫛歯を、該塗布部の側面視において、該塗布部の長手方向の中央に向けて且つ該基面に対して傾斜させるとともに隣接する櫛歯間で櫛歯根元間の距離を櫛歯先端間の距離よりも大きくする
ことを特徴とする液体化粧料塗布体。
【請求項２】
複数の塗布部と、該複数の塗布部を先端に保持する軸部とから構成し、
該複数の塗布部のうち少なくとも一つの塗布部は側面視して直線状の基面を有し、該少なくとも一つの塗布部を、該直線状の基面上に櫛歯を複数並設して形成する櫛状とした上で、
該櫛状の塗布部を形成する複数並設される櫛歯のうち、該直線状の基面上に位置する複数の櫛歯を、該塗布部の側面視において、該塗布部の長手方向の中央に向けて且つ該基面に対して傾斜させるとともに隣接する櫛歯間で櫛歯根元間の距離を櫛歯先端間の距離よりも大きくする
ことを特徴とする液体化粧料塗布体。
【発明の詳細な説明】
【技術分野】
【０００１】
本願発明は、液体化粧料、例えばマスカラを塗布してなる液体化粧料塗布体に関する。
【背景技術】
【０００２】
従来、液体化粧料、例えばマスカラを塗布する液体化粧料塗布体における塗布部には櫛歯を複数並設して櫛状に形成してなるものがあり、該櫛状の塗布部では櫛歯は隣り合う櫛歯先端と櫛歯根元とが平行又は隣り合う櫛歯先端間の距離が櫛歯根元間の距離よりも大きくなっているものが一般的である。そのため、マスカラを塗布するとともに、目を大きく見せるように睫毛を放射状に仕上げるためには塗布部先端の狭い範囲を使用して、目頭側の睫毛は内側に向かって、目尻側の睫毛は外側に向かって梳かすことでマスカラを塗布しつつ睫毛を目を中心として放射状に仕上げるものである（特許文献１参照）。
【０００３】
しかしながら、目を大きく見せるように睫毛を放射状に仕上げるにあたっては上記液体化粧料塗布体における塗布部の先端の狭い範囲だけを使用するため、マスカラを塗布するとともに睫毛の仕上げを繰り返して行わなければならず、使用者にとって非常に煩雑である。
【０００４】
しかも、上記液体化粧料塗布体の塗布部を形成する櫛歯において隣り合う櫛歯間が平行又は隣り合う櫛歯先端間の距離が櫛歯根元間の距離よりも大きくなっていると、睫毛全体を放射状に仕上げるためには、繰り返すマスカラの塗布作業の度に睫毛を梳かす方向を正確に調節する必要もある。
【先行技術文献】
【特許文献】
【０００５】
【特許文献１】特開２００３−２６５２３５号公報
【発明の概要】
【発明が解決しようとする課題】
【０００６】
解決しようとする問題点は、液体化粧料、例えばマスカラを塗布する液体化粧料塗布体が、睫毛を一本一本確実に梳かしながらマスカラを塗布し、しかも該マスカラを塗布した睫毛を簡易且つ正確に放射状に仕上げることができない点である。
【課題を解決するための手段】
【０００７】
第１の特徴として、
塗布部と、該塗布部を先端に保持する軸部とから構成し、
該塗布部を櫛歯を複数並設して形成する櫛状とした上で、
該櫛状の塗布部を形成する複数並設される櫛歯の全体又は一部において、隣接する櫛歯間で櫛歯根元間の距離を櫛歯先端間の距離よりも大きくするものである。
【０００８】
そのため、睫毛にマスカラを塗布しつつ放射状に仕上げようとするときには、塗布部を形成する櫛歯先端を睫毛に差し入れることで、櫛歯先端により睫毛の一本一本確実に選り分けることができるとともに、マスカラを万遍なく塗布することができる。
【０００９】
その上、上記塗布部では櫛歯根元間の距離が櫛歯先端間の距離よりも大きくなっているので、櫛歯先端で一本一本確実に選り分けられてマスカラが塗布された睫毛の間隔は自然に広がるものとなる。その結果、そのまま塗布部を睫毛から引き抜くことで睫毛は簡易且つ正確に放射状に仕上げることができるものとなる。
【００１０】
なお、塗布部の一部において、隣接する櫛歯間で櫛歯根元間の距離が櫛歯先端間の距離をよりも大きくすることによって、睫毛全体に対して一度にマスカラを塗布するとともに、目頭側又は目尻側のいずれか一方の睫毛だけを広がるように仕上げることができ、また、該塗布部の一部によって必要な部分だけマスカラを塗布しながら睫毛を放射状に仕上げることもできるものである。
【００１１】
第２の特徴として、
複数の塗布部と、該複数の塗布部を先端に保持する軸部とから構成し、
該複数の塗布部のうち少なくとも一つの塗布部を櫛歯を複数並設して形成する櫛状とした上で、
該櫛状の塗布部を形成する複数並設される櫛歯の全体又は一部において、隣接する櫛歯間で櫛歯根元間の距離を櫛歯先端間の距離よりも大きくするものである。
【００１２】
そのため、一つの液体化粧料塗布体で、単に睫毛にマスカラを塗布するだけでなく、マスカラを塗布するとともに、睫毛を放射状に仕上げることもできるので、外出時においてあらゆるマスカラの塗布作業に供することができる。
【発明の効果】
【００１３】
本願発明は、簡易且つ確実に、液体化粧料、例えばマスカラを睫毛に塗布するとともに、該睫毛の全部を放射状に又は睫毛の一部を放射状に仕上げることができるので、液体化粧料、例えばマスカラの塗布作業を簡易且つ正確に行うことができる優れた効果を有するものである。
【図面の簡単な説明】
【００１４】
【図１】図１は、本願発明の実施例１である液体化粧料塗布体を具える液体化粧料塗布容器の拡大断面図である。
【図２】図２は、本願発明の実施例１である液体化粧料塗布体の正面図である。
【図３】図３は、本願発明の実施例２である液体化粧料塗布体の正面図である。
【図４】図４は、本願発明の実施例３である液体化粧料塗布体の正面図である。
【図５】図５は、本願発明の実施例４である液体化粧料塗布体の正面図である。
【発明を実施するための形態】
【００１５】
睫毛にマスカラ等の液体化粧料を塗布するとともに、放射状に仕上げることができるようにするため、該液体化粧料塗布体の塗布部を、櫛歯を複数並設して形成される櫛状のものであって、該複数並設する櫛歯間において、櫛歯根元間の距離を櫛歯先端間の距離よりも大きくすることで実現した。
【実施例１】
【００１６】
図１において示すのは、本願発明の実施例１である液体化粧料塗布体１１ａをを具える液体化粧料塗布容器１である。そして、該液体化粧料塗布容器１は、その内部で液体化粧料であるマスカラ３を貯留し、その開口部４近傍には、後述する本願発明の実施例１である液体化粧料塗布体１１ａを構成する塗布部１３ａ及び軸部１２の表面に密着自在となってそれらの表面に過剰に付着したマスカラ３を拭去するシゴキ５を内装するとともに、その外周面に雄ネジ部６を螺設してなる塗布容器本体２と、その開口部８の内周面において前記塗布容器本体２の開口部４先端を封止するパッキン９を固持し、該開口部４の外周面に螺設する雄ネジ部６と螺合する雌ネジ部１０を配設するものであって、本願発明の実施例１である液体化粧料塗布体１１ａを塗布部１３ａとともに構成する軸部１２の根元部１２ａを固持してなるキャップ７とから構成されるものである。
【００１７】
そして、本願発明の実施例１である液体化粧料塗布体１１ａは、図２に示すように、後端の根元部１２ａをキャップ７内に固持する軸部１２と、該軸部１２の先端に形成される塗布部１３ａとから構成される。
【００１８】
さらに、該塗布部１３ａは櫛歯１４を複数並設して形成する櫛状とした上で、該櫛状の塗布部１３ａを形成する複数並設される櫛歯１４全体において、隣接する櫛歯１４、１４間で櫛歯根元１４”、１４”間の距離が櫛歯先端１４’、１４’間の距離よりも大きくするものである。
【００１９】
本願発明の実施例１である液体化粧料塗布体１１ａは以上であるので、該液体化粧料塗布体１１ａに具える上記塗布部１３ａの櫛歯先端１４’を睫毛に差し入れることによって、櫛歯先端１４’により睫毛の一本一本確実に選り分けることができる。その結果、そのまま睫毛に沿って塗布部１３ａを梳かすことにより、睫毛一本一本に万遍なくマスカラ３を塗布することができる。
【００２０】
それと同時に、上記塗布部１３ａでは櫛歯根元１４”、１４”間の距離が櫛歯先端１４’、１４’間の距離より大きくなっているので、櫛歯先端１４’で一本一本確実に選り分けられてマスカラ３が塗布された睫毛の間隔は自然に広がることになる。その結果、睫毛から塗布部１３ａを引き抜くことによって、睫毛を簡易且つ正確に放射状に仕上げることができるものとなる。
【実施例２】
【００２１】
次に、図３において示すものは、本願発明の実施例２である液体化粧料塗布体１１ｂである。そして、該液体化粧料塗布体１１ｂは、本願発明の実施例１である液体化粧料塗布体１１ａと同様に、後端の根元部１２ａをキャップ７に保持す軸部１２と、該軸部１２の先端に塗布部１３ｂを形成し、該塗布部１３ｂが櫛歯１４を複数並設して形成する櫛状としている点で共通するものである。
【００２２】
しかしながら、本願発明の実施例２である液体化粧料塗布体１１ｂの櫛状の塗布部１３ｂが、その前端側において塗布部１３ｂ’では隣接する櫛歯１４、１４間で櫛歯根元１４”、１４”間の距離が櫛歯先端１４’、１４’間の距離よりも大きくなっている塗布部１３ｂ’と、隣接する櫛歯１４、１４間で櫛歯先端１４’、１４’間の距離と櫛歯根元１４”、１４”間の距離とを同一、すなわち平行となっている塗布部１３ｂ”とからなる点で、単一種類の櫛歯からなる実施例１の液体化粧料塗布体１１ａの塗布部１３ａとは相違するものである。
【００２３】
本願発明の実施例２である液体化粧料塗布体１１ｂは以上であるので、該液体化粧料塗布体１１ｂに具える上記塗布部１３ｂの櫛歯先端１４’を睫毛に差し入れることによって、塗布部１３ｂとして櫛歯先端１４’により睫毛の一本一本確実に選り分けることができる。その結果、そのまま睫毛に沿って塗布部１３ｂを梳かすことにより、睫毛一本一本に万遍なくマスカラ３を塗布することができる。
【００２４】
そして、上記塗布部１３ｂをなす塗布部１３ｂ”では櫛歯１４、１４間平行となっているので一本一本確実に選り分けられてマスカラ３が塗布された睫毛は平行に、また塗布部が１３ｂ’では隣接する櫛歯１４、１４間で櫛歯根元１４”、１４”間の距離が櫛歯先端１４’、１４’間の距離よりも大きくなっているので、櫛歯先端１４’、１４’で一本一本確実に選り分けられてマスカラ３が塗布された睫毛は自然に広がることになる。その結果、睫毛から塗布部１３ｂを引き抜くことによって、当該塗布部１３ｂ”に対応する睫毛はそのまま平行に、塗布部１３ｂ”に対応する睫毛を簡易且つ正確に放射状に仕上げることができるものとなる。
【００２５】
なお、当該塗布部１３ｂ’のみを使用することによって、マスカラ３を塗布するとともに、睫毛を放射状に部分的に修正することもできるものである。
【実施例３】
【００２６】
次に、図４において示すものは、本願発明の実施例３である液体化粧料塗布体１１ｃである。そして、該液体化粧料塗布体１１ｃは、本願発明の実施例１である液体化粧料塗布具１１ａと同様に、後端の根元部１２ａをキャップ７に保持する軸部１２と、該軸部１２において塗布部１３ｃを一体に形成し、該塗布部１３ｃが櫛歯１４を複数並設して形成する櫛状としている点で共通する。
【００２７】
しかしながら、本願発明の実施例３である液体化粧料塗布体１１ｃにおける塗布部１３ｃが、隣接する櫛歯１４、１４間で櫛歯根元１４”、１４”間の距離が櫛歯先端１４’、１４’間の距離とが同一の塗布部１３ｃ’と、隣接する櫛歯１４、１４間で櫛歯根元１４”、１４”間の距離が櫛歯先端１４’、１４’間の距離よりも大きくなっている塗布部１３ｃ”とから形成されている点で、実施例１の単独である液体化粧料塗布体１１ａの塗布部１３ａとは相違するものである。
【００２８】
本願発明の実施例３である液体化粧料塗布体１１ｃは以上であるので、まず単に睫毛にマスカラ３を塗布する場合には、隣接する櫛歯１４、１４間で櫛歯先端１４’、１４’間の距離と櫛歯根元１４”、１４”間の距離とが同一にしてなる塗布部１３ｃ’を使用し、さらに目頭又は目尻側の睫毛にマスカラ３を塗布しつつ放射状に仕上げようとする場合には、隣接する櫛歯１４、１４間で櫛歯根元１４”、１４”間の距離が櫛歯先端１４’、１４’間の距離をよりも大きくする塗布部１３ｃ”を使用するというように使い分けるものである。
【００２９】
そして、本願発明の実施例３の液体化粧料塗布体１１ｃに具える上記塗布部１３ｃ”を使用するにあたっては、櫛歯先端１４’を目頭側又は目尻側の睫毛に塗布部１３ｃ”を差し入れることによって、櫛歯先端１４’により睫毛の一本一本確実に選り分けることができる。その結果、そのまま睫毛に沿って塗布部１３ｃ”を梳かすことにより、睫毛一本一本を万遍なくマスカラ３を塗布することができる。
【００３０】
それと同時に、上記塗布部１３ｃ”を形成する複数並設される櫛歯１４では隣接する櫛歯１４、１４間で櫛歯根元１４”、１４”間の距離が櫛歯先端１４’、１４’間の距離よりも大きくなっているので、櫛歯先端１４’、１４’で一本一本確実に選り分けられてマスカラ３が塗布された睫毛は自然に広がることになる。その結果、睫毛から塗布部１３ｃ”を引き抜くことによって、目頭側又は目尻側の睫毛を簡易且つ正確に放射状に仕上げることができるものとなる。
【実施例４】
【００３１】
次に、図５において示すものは、本願発明の実施例４である液体化粧料塗布体１１ｄである。そして、該液体化粧料塗布体１１ｄは、本願発明の実施例１である液体化粧料塗布体１１ａと同様に、後端の根元部１２ａをキャップ７に保持す軸部１２と、該軸部１２の先端に塗布部１３ｄを形成し、該塗布部１３ｄが櫛歯１４を複数並設して形成する櫛状としている点で共通するものである。
【００３２】
しかしながら、本願発明の実施例４である液体化粧料塗布体１１ｄにおいて、まず軸部１２’先端は凹状に湾曲しており、該湾曲する軸部１２’先端には、隣接する櫛歯１４、１４間で櫛歯根元１４”、１４”間の距離を櫛歯先端１４’、１４’間の距離よりも大きくする塗布部１３ｄも湾曲して形成されている点で、直線状である実施例１の液体化粧料塗布体の塗布部１３ａとは相違するものである。
【００３３】
本願発明の実施例４である液体化粧料塗布体１１ｄは以上であるので、該液体化粧料塗布体１１ｄに具える上記塗布部１３ｄの櫛歯先端１４を睫毛に差し入れることによって、櫛歯先端１４’は、睫毛の形状に合わせて均一に密着して、睫毛の一本一本確実に選り分けることができる。その結果、そのまま睫毛に沿って塗布部１３ｄを梳かすことにより、睫毛一本一本に万遍なくマスカラ３を塗布することができる。
【００３４】
それと同時に、上記櫛状の塗布部１３ｄを形成する複数並設される櫛歯１４では隣接する櫛歯１４、１４間で櫛歯根元１４”、１４”間の距離が櫛歯先端１４’、１４’間の距離よりも大きくなっているので、当該睫毛間は、櫛歯先端１４’で一本一本確実に選り分けられて自然に広がることになる。その結果、睫毛から塗布部１３ｄを引き抜くことによって、当該塗布部１３ｄに対応する睫毛を簡易且つ正確に放射状に仕上げることができるものとなる。
【産業上の利用可能性】
【００３５】
本願発明の液体化粧料塗布体は睫毛にマスカラ等の液体化粧料を塗布するとともに、睫毛を簡易且つ正確に放射状に仕上げることができるので、部分毛染め等の塗布体にも適用できる。
【符号の説明】
【００３６】
１    液体化粧料塗布容器
２    塗布容器本体
３    マスカラ
４    開口部
５    シゴキ
６    雄ネジ部
７    キャップ
８    開口部
９    パッキン
１０    雌ネジ部
１１ａ、１１ｂ、１１ｃ、１１ｄ    液体化粧料塗布体
１２    軸部
１２ａ    根元部
１３ａ、１３ｂ、１３ｂ’、１３ｃ、１３ｃ’、１３ｃ”、１３ｄ    塗布部
１４    櫛歯
１４’    櫛歯先端
１４”    櫛歯根元
【図１】
0005755426.tif 000002
【図２】
0005755426.tif 000003
【図３】
0005755426.tif 000004
【図４】
0005755426.tif 000005
【図５】
0005755426.tif 000006